(57)【特許請求の範囲】
【請求項１】
アンカーキャリアと２次キャリアとを含む複数のアップリンクキャリアからなるアップリンクと、複数のダウンリンクキャリアからなるダウンリンクとを有したセルラーネットワークにおけるワイヤレス通信の方法であって、
前記複数のアップリンクキャリアのサブセットにおけるそれぞれのキャリアの各々のアップリンクチャネル上で、前記複数のダウンリンクキャリアに対応するフィードバック情報を与える段階と、
前記アンカーキャリアと前記２次キャリアとを介して送信されるフレームを圧縮して、前記アンカーキャリアと前記２次キャリアとで送信の中断がなされるそれぞれの時間ギャップを時間的に同一とする段階と
を有することを特徴とする方法。
【請求項２】
前記フィードバック情報が、複数のダウンリンクデータチャネル上のデータに対応するＣＱＩおよびＡＣＫ／ＮＡＣＫの情報を含むことを特徴とする請求項１に記載の方法。
【請求項３】
前記複数のアップリンクキャリアが、前記アンカーアップリンクキャリアと、前記２次アップリンクキャリアとからなり、
前記サブセットが、前記アンカーアップリンクキャリアからなることを特徴とする請求項１に記載の方法。
【請求項４】
前記アンカーキャリアに１０ｍｓ送信時間間隔を与える段階と、
前記２次キャリアに２ｍｓ送信時間間隔を与える段階と
をさらに有することを特徴とする請求項１に記載の方法。
【請求項５】
前記アンカーキャリアが、５つの連続的な２ｍｓ送信時間間隔を含むことを特徴とする請求項４に記載の方法。
【請求項６】
前記２次キャリアの品質メトリックの劣化に応答して前記２次キャリアをリリースする段階と、
前記２次キャリアの前記リリースの直接指示を前記アップリンク上で与える段階と
をさらに有することを特徴とする請求項１に記載の方法。
【請求項７】
セルラーネットワークにおけるワイヤレス通信のための装置であって、
アンカーキャリアと２次キャリアとを含む複数のアップリンクキャリアからなるアップリンクを与える手段と、
複数のダウンリンクキャリアからなるダウンリンクを受信する手段と、
前記複数のアップリンクキャリアのサブセットにおけるそれぞれのキャリアの各々のアップリンクチャネル上で、前記複数のダウンリンクキャリアに対応するフィードバック情報を与える手段と、
前記アンカーキャリアと前記２次キャリアとを介して送信されるフレームを圧縮して、前記アンカーキャリアと前記２次キャリアとで送信の中断がなされるそれぞれの時間ギャップを時間的に同一とする手段と
を具備することを特徴とする装置。
【請求項８】
前記２次キャリアの品質メトリックの劣化に応答して前記２次キャリアをリリースする手段と、
前記２次キャリアの前記リリースの直接指示を前記アップリンク上で与える手段と
をさらに具備することを特徴とする請求項７に記載の装置。
【請求項９】
アンカーキャリアと２次キャリアとを含む複数のアップリンクキャリアからなるアップリンクと、複数のダウンリンクキャリアからなるダウンリンクとを有するセルラーネットワークにおいて使用するためのコンピュータに実行させるプログラムが記録されたコンピュータ読み取り可能な記録媒体であって、前記プログラムは、
前記複数のアップリンクキャリアのサブセットにおけるそれぞれのキャリアの各々のアップリンクチャネル上で、前記複数のダウンリンクキャリアに対応するフィードバック情報を与えるコードと、
前記アンカーキャリアと前記２次キャリアとを介して送信されるフレームを圧縮して、前記アンカーキャリアと前記２次キャリアとで送信の中断がなされるそれぞれの時間ギャップを時間的に同一とするコードと、
を含むことを特徴とするコンピュータ読み取り可能な記録媒体。
【請求項１０】
前記フィードバック情報が、複数のダウンリンクデータチャネル上のデータに対応するＣＱＩおよびＡＣＫ／ＮＡＣＫの情報を含むことを特徴とする請求項９に記載のコンピュータ読み取り可能な記録媒体。
【請求項１１】
前記複数のアップリンクキャリアが、前記アンカーアップリンクキャリアと、前記２次アップリンクキャリアとからなり、
前記サブセットが、前記アンカーアップリンクキャリアからなることを特徴とする請求項９に記載のコンピュータ読み取り可能な記録媒体。
【請求項１２】
前記プログラムが、
前記２次キャリアの品質メトリックの劣化に応答して前記２次キャリアをリリースするコードと、
前記２次キャリアの前記リリースの直接指示を前記アップリンク上で与えるコードと
をさらに含むことを特徴とする請求項９に記載のコンピュータ読み取り可能な記録媒体。
【請求項１３】
アンカーキャリアと２次キャリアとを含む複数のアップリンクキャリアからなるアップリンクと、複数のダウンリンクキャリアからなるダウンリンクとを有するセルラーネットワークにおけるワイヤレス通信のための装置であって、
前記複数のアップリンクキャリアのサブセットにおけるそれぞれのキャリアの各々のアップリンクチャネル上で、前記複数のダウンリンクキャリアに対応するフィードバック情報を与えることと、
前記アンカーキャリアと前記２次キャリアとを介して送信されるフレームを圧縮して、前記アンカーキャリアと前記２次キャリアとで送信の中断がなされるそれぞれの時間ギャップを時間的に同一にすることと
を行うように構成された処理システムを具備することを特徴とする装置。
【請求項１４】
前記フィードバック情報が、複数のダウンリンクデータチャネル上のデータに対応するＣＱＩおよびＡＣＫ／ＮＡＣＫの情報を含むことを特徴とする請求項７または１３に記載の装置。
【請求項１５】
前記複数のアップリンクキャリアが、前記アンカーアップリンクキャリアと、前記２次アップリンクキャリアとからなり、
前記サブセットが、前記アンカーアップリンクキャリアからなることを特徴とする請求項７または１３に記載の装置。
【発明の詳細な説明】
【技術分野】
【０００１】
米国特許法第119条(e)に従い、本出願は、2009年3月17日に出願された米国特許仮出願第61/161,051号の優先権を主張する。上記出願の全内容が引用によって本明細書に組み込まれる。
【０００２】
本開示は、一般に通信システムに関し、より詳細には、デュアルアップリンクキャリアを利用する高速アップリンクに関する。
【背景技術】
【０００３】
ワイヤレス通信システムは、電話、ビデオ、データ、メッセージング、およびブロードキャストなどの様々な電気通信サービスを提供するために広く展開されている。通常は多元接続ネットワークであるそのようなネットワークは、利用可能なネットワークリソースを共用することによって、複数のユーザのための通信をサポートする。そのようなネットワークの一例が、UTRAN(UMTS Terrestrial Radio Access Network)である。UTRANは、3GPP(3rd Generation Partnership Project)によってサポートされる第3世代(3G)モバイルフォン技術であるUTMS(Universal Mobile Telecommunications System)の一部として定義される無線アクセスネットワーク(RAN)である。GSM(Global System for Mobile Communications)技術の後継であるUMTSは、現在、広帯域符号分割多元接続(W-CDMA)、時分割符号分割多元接続(TD-CDMA)、および時分割同期符号分割多元接続(TD-SCDMA)など、様々なエアインターフェース規格をサポートしている。UMTSはまた、より高いデータ転送速度と容量とを関連するUMTSネットワークに与える、高速パケットアクセス(HSPA)などの拡張型3Gデータ通信プロトコルをサポートしている。
【０００４】
3GPPリリース5以降は高速ダウンリンクパケットアクセス(HSDPA)をサポートしている。3GPPリリース6以降は、拡張アップリンクと呼ばれることもある高速アップリンクパケットアクセス(HSUPA)をサポートしている。HSDPAおよびHSUPAは、それぞれダウンリンクおよびアップリンク上での高速パケットデータ送信を可能にするチャネルとプロシージャとのセットである。
【０００５】
モバイルブロードバンドアクセスの需要が増加し続けるにつれて、モバイルブロードバンドアクセスの増加する需要を満たすためだけでなく、モバイル通信のユーザエクスペリエンスを進化させ、拡張するための、調査および開発がUMTS技術を進化させ続けている。
【発明の概要】
【課題を解決するための手段】
【０００６】
本開示の一態様では、アンカーキャリアと2次キャリアとを含む複数のアップリンクキャリアをもつアップリンクと、複数のダウンリンクキャリアをもつダウンリンクとを有するセルラーネットワークのためのワイヤレス通信の方法が提供される。ここで、本方法は、上記複数のアップリンクキャリアのサブセットにおけるそれぞれのキャリアの各々のアップリンクチャネル上で、上記複数のダウンリンクキャリアに対応するフィードバック情報を与える段階を有する。
【０００７】
本開示の別の態様では、セルラーネットワークにおけるワイヤレス通信のための装置が提供される。ここで、本装置は、アンカーキャリアと2次キャリアとを含む複数のアップリンクキャリアを有するアップリンクを与える手段と、複数のダウンリンクキャリアを有するダウンリンクを受信する手段と、上記複数のアップリンクキャリアのサブセットにおけるそれぞれのキャリアの各々のアップリンクチャネル上で、上記複数のダウンリンクキャリアに対応するフィードバック情報を与える手段とを具備する。
【０００８】
本開示のさらに別の態様では、アンカーキャリアと2次キャリアとを含む複数のアップリンクキャリアをもつアップリンクと、複数のダウンリンクキャリアをもつダウンリンクとを有するセルラーネットワークにおいて使用するためのコンピュータプログラム製品が提供される。ここで、本コンピュータプログラム製品は、上記複数のアップリンクキャリアのサブセットにおけるそれぞれのキャリアの各々のアップリンクチャネル上で、上記複数のダウンリンクキャリアに対応するフィードバック情報を与えるコードを格納したコンピュータ読み取り可能な記録媒体を含む。
【０００９】
本開示のさらに別の態様では、アンカーキャリアと2次キャリアとを含む複数のアップリンクキャリアをもつアップリンクと、複数のダウンリンクキャリアをもつダウンリンクとを有するセルラーネットワークにおけるワイヤレス通信のための装置が提供される。ここで、本装置は、上記複数のアップリンクキャリアのサブセットにおけるそれぞれのキャリアの各々のアップリンクチャネル上で、上記複数のダウンリンクキャリアに対応するフィードバック情報を与えるように構成された処理システムを具備する。
【図面の簡単な説明】
【００１０】
【図１】処理システムを採用する装置のためのハードウェア実装形態の一例を示す図である。
【図２】ネットワークアーキテクチャの一例を示す概念図である。
【図３】アクセスネットワークの一例を示す概念図である。
【図４】アクセスネットワークにおいて使用されるプロトコルスタックを示す概略図である。
【図５】HSUPAを使用するシステムにおける論理チャネル、トランスポートチャネル、および物理チャネルの可能なマッピングを示す概念図である。
【図６】ノードBと通信するUEを示す概念図である。
【図７Ａ】本開示の一態様による、デュアルHSUPAキャリアの2つの構成を示す表である。
【図７Ｂ】本開示の一態様による、HSUPAキャリア上で情報を与えるプロセスを示すフローチャートである。
【図８】本開示の一態様による、デュアルHSUPAキャリア上のTTIの3つの構成を示す表である。
【図９】本開示の一態様による、2次キャリアを暗黙的にリリースするプロセスを示すフローチャートである。
【図１０Ａ】本開示の一態様による、DC-HSUPAにおいて使用される圧縮モードを概略的に示すタイミング図である。
【図１０Ｂ】本開示の一態様による、DC-HSUPAにおいて使用される圧縮モードを概略的に示すタイミング図である。
【図１１】アクセスネットワークにおいてUEと通信しているノードBの一例を示すブロック図である。
【発明を実施するための形態】
【００１１】
添付の図面とともに以下に示す発明を実施するための形態は、様々な構成を説明するものであり、本明細書で説明する概念が実施され得る唯一の構成を表すものではない。発明を実施するための形態は、様々な概念の完全な理解を与える目的で具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形態で示す。
【００１２】
これより、様々な装置および方法に関して電気通信システムのいくつかの態様を提示する。これらの装置および方法を、以下の発明を実施するための形態で説明し、(「要素」と総称される)様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課せられた設計制約に依存する。
【００１３】
例として、要素、または要素のいずれかの部分、または要素の任意の組合せが、1つまたは複数のプロセッサを含む「処理システム」とともに実装され得る。プロセッサの例は、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明する様々な機能を実行するように構成された他の好適なハードウェアを含む。処理システム中の1つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読記録媒体上に常駐し得る。コンピュータ可読記録媒体は、例として、磁気ストレージデバイス(たとえば、ハードディスク、フロッピー(登録商標)ディスク、磁気ストリップ)、光ディスク(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、搬送波、伝送線路、およびソフトウェアを格納または送信するための任意の他の好適な媒体を含み得る。コンピュータ可読記録媒体は、処理システム中に常駐するか、処理システムの外部にあるか、または処理システムを含む複数のエンティティにわたって分散され得る。コンピュータ可読記録媒体はコンピュータプログラム製品中で実施され得る。例として、コンピュータプログラム製品は、パッケージング材料に入れられたコンピュータ可読記録媒体を含み得る。当業者なら、特定の適用例および全体的なシステムに課せられた全体的な設計制約に応じて、どのようにしたら、本開示全体にわたって提示される説明する機能を最も良く実装できるかを認識されよう。
【００１４】
図1は、処理システム114を採用する装置100のためのハードウェア実装形態の一例を示す概念図である。この例では、処理システム114は、バス102によって概略的に表されるバスアーキテクチャを用いて実装され得る。バス102は、処理システム114の特定の適用例および全体的な設計制約に応じて、任意の数の相互接続バスおよびブリッジを含み得る。バス102は、プロセッサ104によって概略的に表される1つまたは複数のプロセッサと、コンピュータ可読記録媒体106によって概略的に表されるコンピュータ可読記録媒体とを含む、様々な回路を互いにリンクする。バス102は、タイミングソース、周辺機器、電圧調整器、および電力管理回路など、様々な他の回路をもリンクし得るが、これらの回路は当技術分野においてよく知られており、したがって、これ以上説明しない。バスインターフェース108は、バス102とトランシーバ110との間のインターフェースを与える。トランシーバ110は、伝送媒体を介して様々な他の装置と通信するための手段を与える。本装置の性質に応じて、ユーザインターフェース112(たとえば、キーパッド、ディスプレイ、スピーカー、マイクロフォン、ジョイスティック)が設けられることもある。
【００１５】
プロセッサ104は、バス102を管理することと、コンピュータ可読記録媒体106に格納されたソフトウェアの実行を含む一般的な処理とを担当する。そのソフトウェアは、プロセッサ104によって実行されたとき、特定の装置に対して、以下で説明する様々な機能を処理システム114に実行させる。また、コンピュータ可読記録媒体106は、ソフトウェアの実行時に、プロセッサ104によって操作されるデータを格納するために使用され得る。
【００１６】
本開示全体にわたって提示する様々な概念は、多種多様な電気通信システム、ネットワークアーキテクチャ、および通信規格にわたって実装され得る。限定ではなく、例として、W-CDMAエアインターフェースを採用するUMTSシステムに関して、図2に示す本開示の態様を提示する。この例では、UMTSシステムは、電話、ビデオ、データ、メッセージング、ブロードキャスト、および/または他のサービスを含む、様々なワイヤレスサービスを提供する無線アクセスネットワーク(RAN)202(たとえば、UTRAN)を含む。RAN 202は、RNC 206などの無線ネットワークコントローラ(RNC)によって各々が制御される、RNS 207などのいくつかの無線ネットワークサブシステム(RNS)に分割され得る。明快のために、RNC 206およびRNS 207のみが示されているが、RAN 202は、RNC 206およびRNS 207に加えて、任意の数のRNCおよびRNSを含み得る。RNC 206は、特に、RNS 207内で無線リソースを割り当て、再構成し、リリースすることを担当する装置である。RNC 206は、任意の好適なトランスポートネットワークを使用して、直接物理接続、仮想ネットワークなどの様々なタイプのインターフェースを通して、RAN 202中の他のRNC(図示せず)に相互接続され得る。
【００１７】
RNS 207によってカバーされる地理的領域はいくつかのセルに分割され得、無線トランシーバ装置が各セルをサービスする。無線トランシーバ装置は、UMTS適用例では一般にノードBと呼ばれるが、当業者によって、基地局(BS)、送受信基地局(BTS)、無線基地局、無線トランシーバ、トランシーバ機能、基本サービスセット(BSS)、拡張サービスセット(ESS)、アクセスポイント(AP)、または何らかの他の好適な用語で呼ばれることもある。明瞭化のために、2つのノードB 208が示されているが、RNS 207は任意の数のワイヤレスノードBを含み得る。ノードB 208は、コアネットワーク204へのワイヤレスアクセスポイントを任意の数のモバイル装置に与える。モバイル装置の例は、セルラー電話、スマートフォン、セッション開始プロトコル(SIP)フォン、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲーム機、または他の同様の機能のデバイスを含む。モバイル装置は、UMTS適用例では一般にユーザ機器(UE)と呼ばれるが、当業者によって、移動局(MS)、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末(AT)、モバイル端末、ワイヤレス端末、リモート端末、ハンドセット、端末、ユーザエージェント、モバイルクライアント、クライアント、または何らかの他の好適な用語で呼ばれることもある。説明のために、ノードB 208と通信している3つのUE 210が示されている。順方向リンクとも呼ばれるダウンリンク(DL)は、ノードB 208からUE 210への通信リンクを指し、逆方向リンクとも呼ばれるアップリンク(UL)は、UE 210からノードB 208への通信リンクを指す。
【００１８】
コアネットワーク204は、図示のように、GSMコアネットワークを含む。ただし、当業者が認識するように、本開示全体にわたって提示する様々な概念は、GSMネットワーク以外のタイプのコアネットワークへのアクセスをUEに与えるために、RAN、または他の好適なアクセスネットワークにおいて実装され得る。
【００１９】
この例では、コアネットワーク204は、モバイル交換センター(MSC)212とゲートウェイMSC(GMSC)214とを用いて回線交換サービスをサポートする。いくつかの適用例では、GMSC 214はメディアゲートウェイ(MGW)と呼ばれることがある。RNC 206などの1つまたは複数のRNCはMSC 212に接続され得る。MSC 212は、呼設定、コールルーティング、およびUEモビリティ機能を制御する装置である。MSC 212はまた、UEがMSC 212のカバレージエリア中にある持続時間の間の加入者関係の情報を含んでいるビジターロケーションレジスタ(VLR)を含む。GMSC 214は、MSC 212を通して、UEが回線交換ネットワーク216にアクセスするためのゲートウェイを与える。GMSC 214は、特定のユーザが加入したサービスの詳細を反映するデータなどの加入者データを含んでいるホームロケーションレジスタ(HLR)224を含む。また、HLRは、加入者固有の認証データを含んでいる認証センター(AuC)に関連付けられる。ある呼が特定のUEのために受信されたとき、GMSC 214は、そのUEのロケーションを判断するためにHLRに問い合わせ、そのロケーションをサービスする特定のMSCにその呼をフォワーディングする。
【００２０】
コアネットワーク204は、サービングGPRSサポートノード(SGSN)218とゲートウェイGPRSサポートノード(GGSN)220とを用いてパケットデータサービスをもサポートする。General Packet Radio Serviceを表すGPRSは、標準GSM回線交換データサービスで利用可能な速度よりも高速な速度でパケットデータサービスを提供するように設計されている。GGSN 220は、パケットベースネットワーク222への接続をRAN 202に与える。パケットベースネットワーク222は、インターネット、プライベートデータネットワーク、または何らかの他の好適なパケットベースネットワークであり得る。GGSN 220の主要機能は、パケットベースネットワーク接続性をUE 210に与えることである。SGSN 218を通してGGSN 220とUE 210との間でデータパケットが転送され、SGSN 218は、主に、MSC 212が回線交換領域で実行するのと同じ機能をパケットベース領域で実行する。
【００２１】
UMTSエアインターフェースはスペクトラム拡散直接シーケンス符号分割多元接続(DS-CDMA)システムである。スペクトラム拡散DS-CDMAは、チップと呼ばれる擬似ランダムビットのシーケンスによる乗算によってはるかに広くなった帯域幅にわたってユーザデータを拡散する。W-CDMAエアインターフェースは、そのような直接シーケンススペクトラム拡散技術に基づいており、さらに周波数分割複信(FDD)を必要とする。FDDは、ノードB 208とUE 210との間のアップリンク(UL)とダウンリンク(DL)とに対して異なるキャリア周波数を使用する。
【００２２】
図3を参照すると、UTRANアーキテクチャのアクセスネットワーク300が示されている。多元接続ワイヤレス通信システムは、セル302、304、および306を含む複数のセルラー領域(セル)を含み、それらの各々は1つまたは複数のセクタを含み得る。複数のセクタはアンテナのグループによって形成され得、各アンテナは、セルの一部分におけるUEとの通信を担当する。たとえば、セル302において、アンテナグループ312、314、および316は各々異なるセクタに対応し得る。セル304において、アンテナグループ318、320、および322は各々異なるセクタに対応する。セル306において、アンテナグループ324、326、および328は各々異なるセクタに対応する。セル302、304および306は、各セル302、304または306の1つまたは複数のセクタと通信していることがある、いくつかのワイヤレス通信デバイス、たとえば、ユーザ機器またはUEを含み得る。たとえば、UE 330および332はノードB 342と通信していることがあり、UE 334および336はノードB 344と通信していることがあり、UE 338および340はノードB 346と通信していることがある。ここで、各ノードB 342、344、346は、それぞれのセル302、304、および306中のすべてのUE 330、332、334、336、338、340にコアネットワーク204(図2を参照)へのアクセスポイントを与えるように構成される。
【００２３】
アクセスネットワーク300によって採用される変調および多元接続方式は、展開されている特定の電気通信規格に応じて異なり得る。例として、上記規格は、EV-DO(Evolution-Data Optimized)またはUMB(Ultra Mobile Broadband)を含み得る。EV-DOおよびUMBは、CDMA2000規格ファミリーの一部として3GPP2(3rd Generation Partnership Project 2)によって公表されたエアインターフェース規格であり、CDMAを採用して、ブロードバンドインターネットアクセスを移動局に与える。上記規格は、代替的に、広帯域CDMA(W-CDMA)とTD-SCDMAなどのCDMAの他の変形態とを採用するUTRA(Universal Terrestrial Radio Access)、TDMAを採用するGSM(Global System for Mobile Communications)、ならびにOFDMAを採用するE-UTRA(Evolved UTRA)、UMB(Ultra Mobile Broadband)、IEEE802.11(Wi-Fi)、IEEE802.16(WiMAX)、IEEE802.20、およびFlash-OFDMであり得る。UTRA、E-UTRA、UMTS、LTEおよびGSMは、3GPP団体からの文書に記載されている。CDMA2000およびUMBは、3GPP2団体からの文書に記載されている。採用される実際のワイヤレス通信規格および多元接続技術は、特定の適用例およびシステムに課せられた全体的な設計制約に依存することになる。
【００２４】
ノードB(たとえば、342)は、MIMO技術をサポートする複数のアンテナを有し得る。MIMO技術の使用により、ノードB 342は、空間領域を利用して、空間多重化、ビームフォーミング、および送信ダイバーシティをサポートすることが可能になる。
【００２５】
空間多重化は、データの異なるストリームを同じ周波数上で同時に送信するために使用され得る。それらのデータストリームは、データレートを増加させるために単一のUE(たとえば、330)に送信されるか、または全体的なシステム容量を増加させるために複数のUE(たとえば、330、332)に送信され得る。これは、各データストリームを空間的にプリコードし、次いで、空間的にプリコードされた各ストリームを、ダウンリンク上で異なる送信アンテナを通して送信することによって達成される。空間的にプリコードされたデータストリームは、異なる空間シグナチャとともにUE 330、332に到着し、これにより、UE 330、332の各々は、そのUE 330、332に宛てられたデータストリームのうちの1つまたは複数を復元することが可能になる。アップリンク上で、各UE 330は、空間的にプリコードされたデータストリームを送信し、これにより、ノードB 342は、空間的にプリコードされた各データストリームのソースを識別することが可能になる。
【００２６】
空間多重化は、概して、チャネル状態が良好なときに使用される。チャネル状態があまりよくないときは、送信エネルギーを1つまたは複数の方向に収束させるためにビームフォーミングが使用され得る。これは、複数のアンテナを通して送信するためにデータを空間的にプリコードすることによって達成され得る。セルのエッジにおける良好なカバレージを達成するために、送信ダイバーシティと組み合わせてシングルストリームビームフォーミング送信が使用され得る。
【００２７】
図4は、高速アップリンクパケットアクセス(HSUPA)を実装する、UTRANにおいて使用されるプロトコルスタックを示す概略図である。上記プロトコルスタックのレイヤ1は、UE 402とノードB 404との間の無線リンクを介してデータを転送する、物理レイヤ410を含む。上記プロトコルスタックのレイヤ2は、MACレイヤ412、414と、無線リンク制御(RLC)レイヤ416とを含む。RLCレイヤ416は、セグメンテーション、再統合、重複検出、および当業者に知られている他の従来のレイヤ2機能を行い、論理チャネルの形態でパケットをMACレイヤに供給し、論理チャネルは、以下で図5に関して説明するように、トランスポートチャネルにマッピングされ、今度は、物理チャネルにマッピングされる。今度は、トランスポートチャネルは、レイヤ1によって上位レイヤに提供されるサービスである。HSUPAのためのMACプロトコルおよびプロシージャを実装するために、3GPPリリース6仕様は、MAC-e/esと呼ばれる、アップリンクのためのMACのサブレイヤを定義している。このサブレイヤは、ノードB 404(MAC-e)、RNC 406(MAC-es)およびUE 402(MACe/es)において動作する。ノードB 404中のMAC-eのロケーションは、物理レイヤ410における高速再送信を可能にする。HSUPAの場合、UE 402が複数のノードB 404とのソフトハンドオーバの状態にあることがあるので、RNC 406中のMAC-esのロケーションはデータパケットのリオーダーを担当する。情報は、トランスポートチャネルの形態でMACレイヤから物理レイヤに受け渡される。すなわち、トランスポートチャネルフレームは、UE中のMACサブレイヤ412、414によって構築され、UE 402がそれとソフトハンドオーバの状態にある各ノードB 404にエアインターフェースを介して送信される。RNC 406は、Iubインターフェース408を介して各ノードB 404から同じトランスポートチャネルフレームを受信し、リオーダーを実行し得る。上記プロトコルスタックのレイヤ3は、無線リソースの確立、リリース、および構成を扱う、無線リソース制御レイヤ(RRC)を含む。
【００２８】
図5は、HSUPAを使用するシステムにおける論理チャネル、トランスポートチャネル、および物理チャネルの可能なマッピングを示す概念図である。以下の説明では、いくつかのトランスポートチャネルと、それらのトランスポートチャネルに関連付けられた物理チャネルとのみについて説明する。
【００２９】
ブロードキャストチャネル(BCH)502は、全体的なシステム構成を定義するブロードキャスト情報を搬送し得るダウンリンクトランスポートチャネルである。1次共通制御物理チャネル(PCCPCH)503は、BCHトランスポートチャネルを搬送するために使用され得るダウンリンク物理チャネルである。ページングチャネル(PCH)504は、システムがUEのロケーションセルを知らないとき、UEに制御情報、たとえば、ページング通知メッセージを搬送し得るダウンリンクトランスポートチャネルである。ここで、ページングインジケータチャネル(PICH)506は、UEがUEの割り当てられたページング機会中にPCHを読み取る必要があるかどうかをUEが迅速に判断することを可能にするために、PCH 504に関連付けられ得る。順方向アクセスチャネル(FACH)508は、システムがUEのロケーションセルを知っているとき、UEに制御情報を搬送し得るダウンリンクトランスポートチャネルである。ここで、FACH 508は、Cell_FACH状態で動作しているUEに専用アップリンクシグナリングおよびユーザ情報をも搬送し得、UEは、ダウンリンクにおいてFACH 508を連続的に監視し得る。2次共通制御物理チャネル(SCCPCH)509は、FACH 508およびPCH 504トランスポートチャネルを搬送するために使用され得る。ここで、FACH 508およびPCH 504は、同じまたは異なるSCCPCH 509によって搬送され得、最高16個のSCCPCHがセルまたはセクタから送信され得る。取得インジケータチャネル(AICH)510はFACHチャネルに関連付けられ得る。ランダムアクセスチャネル(RACH)512は、UEから制御情報を搬送し得るアップリンクトランスポートチャネルである。RACH 512は、UEがCell_FACH状態で動作しているとき、UEからアップリンクシグナリングおよびユーザ情報をも搬送し得る。物理ランダムアクセスチャネル(PRACH)513は、RACH 512を搬送するために使用され得る。専用チャネル(DCH)514は、たとえば、回線交換呼のための確実なスループットを与えるために、Cell_DCH状態で動作しているUEとの間で専用シグナリングおよびユーザ情報を搬送し得る、アップリンクまたはダウンリンクトランスポートチャネルである。ここで、DCH 514は専用物理データチャネル(DPDCH)516にマッピングされ得る。関連する専用物理制御チャネル(DPCCH)517は、電力制御コマンドなどの物理レイヤ制御情報を搬送し得る。フラクショナル専用物理チャネル(F-DPCH)519は、さらなる物理レイヤ制御情報を搬送し得る。
【００３０】
HSDPAを含む、リリース5の3GPP仕様の導入とともに、3つのダウンリンクチャネルおよび1つのアップリンクチャネルが追加された。高速ダウンリンク共有チャネル(HS-DSCH)518は、いくつかのUEによって共有され得るトランスポートチャネルである。HS-DSCHは、1つまたは複数の共有制御チャネル(HS-SCCH)520に関連付けられ得る。HS-SCCH 520は、HS-DSCH 518の送信に関係するダウンリンク制御情報を搬送するために利用され得る物理チャネルである。UEは、HS-SCCH 520を連続的に監視して、そのデータをいつHS-DSCH 518から読み取るべきかと、割り当てられた物理チャネル上で使用される変調方式とを判断し得る。高速物理ダウンリンク共有チャネル(HS-PDSCH)522は、いくつかのUEによって共有され得る物理チャネルである。HS-PDSCH 522は、4位相シフトキーイング(QPSK)、16直交振幅変調(16QAM)、および多重符号伝送をサポートし得る。本開示の一態様では、HS-PDSCH 522は、2ms間隔でユーザに割り振られ得る。高速専用物理制御チャネル(HS-DPCCH)524は、ノードBのスケジューリングアルゴリズムに関してノードBを支援するためにUEからフィードバックを搬送し得るアップリンク物理チャネルである。そのフィードバックは、前のHS-DSCH送信のチャネル品質インジケータ(CQI)と肯定応答または否定応答(ACK/NAK)とを含み得る。HSUPAを動作させるUEは、追加のリリース99のDCHおよび/またはHSDPAチャネルをも有し得ることを当業者は理解されよう。
【００３１】
さらに、HSUPAを含む、リリース6の3GPP仕様の導入とともに、1つの新しいアップリンクトランスポートチャネルおよび2つの新しいアップリンク物理チャネルが追加された。HSUPAの中心は、Cell_FACH状態およびIDLEモードで動作し得る、拡張専用チャネル(E-DCH)526と呼ばれるアップリンクトランスポートチャネルである。E-DCH 526は、2msまたは10ms送信時間間隔(TTI)のいずれかに基づいて動作し、TTIごとに単一のトランスポートブロックを搬送し得る。E-DCH 526は、1つまたは複数のE-DCH専用物理データチャネル(E-DPDCH)528上にマッピングされ、さらに、関連するE-DCH専用物理制御チャネル(E-DPCCH)530を有し得る。E-DPDCH 528は、E-DCHトランスポートチャネル526のためのアップリンクデータを搬送し得るアップリンク物理チャネルである。E-DPDCH 528は、IブランチおよびQブランチを用いたBPSK変調をサポートし、あらゆるTTIを割り振られ得る。本開示の一態様では、多重符号伝送方式でE-DCHトランスポートチャネル526を搬送するために最高4つのチャネルが使用され得る。E-DPCCH 530は、E-DPDCH 528に関連する制御情報のためのアップリンク物理チャネルである。E-DPCCH 530は、E-DCH 526上で使用されるトランスポートフォーマットに関する情報、HARQ再送信シーケンス番号を搬送し、ノードBにおけるスケジューリング決定をサポートするための1ビットを含み得る。E-DCHハイブリッドARQインジケータチャネル(E-HICH)532は、HARQ再送信をサポートするために前のデータ送信上でノードBからフィードバック(ACK/NACK)を搬送し得るダウンリンク物理チャネルである。HSUPAがソフトハンドオーバをサポートするので、E-DCHアクティブセットに属する各セルはE-HICH 532を送信し得る。E-DCH絶対グラントチャネル(E-AGCH)536は、E-DCHサービングセルからスケジューラグラント情報を搬送し得るダウンリンク物理チャネルである。その絶対グラントは、E-DCH 526上でのスケジュールされた送信のために使用され得るトラフィック対パイロット比をUEに直接示す。E-
DCH相対グラントチャネル(E-RGCH)534は、サービングノードBに属するセルから、ならびにE-DCHアクティブセット中の非サービングセルに、スケジューラグラント情報を搬送し得る、ダウンリンク物理チャネルである。その相対グラントは、現在のトラフィック対パイロット比を増加すること、減少すること、または維持することをUEに示す。E-DPCCH 530、ならびにE-HICH 532、E-AGCH 536、ならびにE-RGCH 534は、物理レイヤ(制御)チャネルである。すなわち、これらのチャネルは、上位レイヤ情報を搬送せず、したがって、論理またはトランスポートチャネルマッピングを有しない。
【００３２】
3GPPリリース7におけるHSPAのさらなる拡張はMIMO機能および高次変調を追加し、リリース8はデュアルキャリア(デュアルセル)DC-HSDPAを追加した。DC-HSDPAは、HSDPAが単一のUEへの送信において2つの隣接する5MHzキャリアを利用することを可能にし、したがって、10MHzのダウンリンク帯域幅を達成する。この帯域幅の増加は、概して、特にノードBの低負荷時に、データレートを増加させる。これらの2つのキャリアは、ダウンリンク上で、アンカーキャリアと2次(補足または補助とも呼ばれる)キャリアとを含む。一般に、アンカーダウンリンクキャリアは、2次ダウンリンクキャリアよりも多い量の制御情報を含み、2次ダウンリンクキャリアは、利用されていないとき、無効化され得る。
【００３３】
3GPPリリース9は、特に、アップリンク上でのデュアルセル機能、すなわち、DC-HSUPAを含むことによって、HSPAのさらなる拡張を含む。DC-HSDPAと同様に、DC-HSUPAは、アップリンク上の2つの一般的には隣接する5MHzキャリアのアグリゲーションを含む。ただし、アップリンクの構成は、ダウンリンクを構成する際に直面する特徴および問題とは異なるいくつかの特徴および問題を有する。たとえば、ダウンリンクでは、アグリゲートされたキャリアの送信が中央ノード、すなわち、ノードBから来るが、アップリンクでは、送信が複数の分散ノード、すなわち、UEから来る。したがって、スケジューリング、フィードバック、電力管理、ハンドオーバ、および他の機能は、DC-HSUPAに固有であり得る。さらに、HSDPAおよびHSUPAにおける将来の拡張は、ダウンリンクおよび/またはアップリンクの一方または両方上の3つ以上のキャリア(すなわち、複数セル、またはMC-HSPA)を含み得る。
【００３４】
図6は、DC-HSDPAとDC-HSUPAとが可能なUTRANを利用してノードB 604と通信するUE 602を示す概念図である。ここで、DC-HSUPAは、同時送信のために周波数分割多重化され得るアンカーキャリア606および2次キャリア608上でのアグリゲートされたアップリンク送信を含む。本開示の一態様では、アンカーキャリア606は、アンカーダウンリンクキャリア610に対してデュプレックス距離を守るアップリンクキャリアであり、2次キャリア608は、2次ダウンリンクキャリア612に対してデュプレックス距離を守るアップリンクキャリアである。アンカーキャリア606および2次キャリア608は、連続するまたは隣接する周波数キャリアであり得、様々な態様では、いずれか一方が他方よりも高い周波数を有し得る。もちろん、本開示の別の態様では、アップリンクおよび/またはダウンリンクの一方または両方上で3つ以上のキャリアがあり得、ダウンリンク上のキャリアの数は、アップリンク上のキャリアの数と同じであるか、またはアップリンク上のキャリアの数とは異なり得る。
【００３５】
本開示の一態様では、DC-HSUPAは、2次キャリアのための任意の新しい物理チャネルを必要としないことがある。すなわち、HSUPAにおいて利用され、図5に示す、物理チャネルは、アンカーキャリアと2次キャリアの両方上で送信され得る。たとえば、HS-DPCCH 524(図5を参照)に関して、このチャネルを搬送するアップリンクキャリアの数は、HS-DPCCH 524がフィードバック情報をそこに供給するダウンリンクキャリアの数(たとえば、サブセット)未満であり得る。したがって、DC-HSPA(すなわち、アップリンクとダウンリンクとの各々上の2つのキャリア)において、2つのダウンリンクキャリアがHS-DSCH 518を与える場合、CQIおよびACK/NACK情報は、一方または両方のアップリンクキャリア上のHS-DPCCH 524上で与えられ得る。HS-DPCCH 524が上記アップリンクキャリアのうちの一方上で利用可能でない場合、2つのアップリンクキャリアを有するシステムでは、これは、他方のアップリンクキャリアが、両方のダウンリンクキャリアに対応するCQIおよびACK/NACK情報を与えることを意味する。
【００３６】
図7Aに、行(A)および(B)によって示される2つのシナリオを示す。図示のシナリオの各々において、「X」は、対応するチャネルが、それぞれのノードBによって構成されるために利用可能であることを示し、「-」は、そのチャネルが、そのキャリア上での構成には利用不可能であることを示す。したがって、行(A)に示すように、本開示の一態様では、ノードBは、両方のアップリンクキャリア上ではDPCCH 702、712と、(E-DPDCH 710、720、およびE-DPCCH 708、718上で搬送される)E-DCHとを構成し、アンカーキャリア上ではDPDCH 704とHS-DPCCH 706とを構成し得る。ただし、この態様では、DPDCH 714およびHS-DPCCH 716は、2次キャリア上でのノードBによる構成には利用不可能である。すなわち、この態様では、2次キャリアは、アップリンク専用データチャネルには利用されず、さらに、両方の(またはすべての)ダウンリンクチャネル上のHS-DSCHに関係する任意のフィードバック情報、たとえば、CQIおよびACK/NACKは、アンカーキャリア上のHS-DPCCH 706上で与えられ得る。
【００３７】
行(B)に示すように、本開示の別の態様では、ノードBは、アンカーキャリアと2次キャリアとの各々上ではDPCCH 702、712と、HS-DPCCH 706、716と、E-DPCCH 708、718と、E-DPDCH 710、720とを構成し、アンカーキャリア上ではDPDCH 704を構成し得る。ただし、この態様では、DPDCH 714は、2次キャリア上でのノードBによる構成には利用不可能である。したがって、この態様では、2次キャリアはアップリンク専用データチャネルには利用されない。
【００３８】
図7Bは、図7Aに示すアンカーキャリアと2次キャリアとの上のいくつかのチャネルのノードB構成から受信するプロセスを概念的に示すフローチャートである。ここで、ブロック702Bにおいて、プロセスは、DPCCHと、E-DPCCHと、E-DPDCHと、HS-DPCCHとを含むチャネルを利用するアンカーキャリアを与える。ブロック704Bにおいて、プロセスは、チャネルDPCCHと、チャネルE-DPCCHと、チャネルE-DPDCHとを含む2次キャリアを与える。ブロック706Bにおいて、プロセスは、2次キャリア上でDPDCHを与えることを無効化する。本開示の一態様では、ブロック708Bにおいて、プロセスは、HS-DPCCHを含む2次キャリアを与える。本開示の別の態様では、ブロック710Bにおいて、プロセスは、2次キャリア上でHS-DPCCHを与えることを無効化する。もちろん、このプロセスは、利用可能なチャネルの各々が、図7Aに示すように、ノードBによって構成されると仮定する。ただし、本開示の様々な態様では、それらの利用可能なチャネルのうちの少なくともいくつかは構成されないことがある。
【００３９】
すなわち、本開示のさらなる態様では、両方のアップリンクキャリア606、608(図6を参照)上での動作をサポートするために利用されるダウンリンク物理チャネルは、各ダウンリンクキャリア610、612上で対称的な形で送信され得る。したがって、UEがCell_DCH状態にあるとき、ダウンリンクキャリア610、612の各々は、E-AGCH 536(図5を参照)と、E-RGCH 534と、E-HICH 532とを含み得る。さらに、DPDCH 516がアンカーキャリア610上で構成されなかったとき、F-DPCH 519は両方のダウンリンクキャリア610、612上で構成され得る。DPDCH 516がアンカーキャリア610または2次キャリア608のいずれかの上で構成されなかった場合、シグナリング情報は、ダウンリンク上ではHS-PDSCH 522上で、アップリンク上ではE-DCH 526上で、与えられ得る。DPDCH 516がアンカーキャリア610上で構成されたとき、F-DPCHは2次キャリア612上でのみ送信され得る。
【００４０】
HSUPAチャネルタイミングは送信時間間隔(TTI)に基づく。TTIは、MACレイヤがトランスポートチャネル上のトランスポートブロックにおいてデータのセットを生成し、送信するための、持続時間である。一般に、各トランスポートチャネルは、2ms(3スロット)または10ms(15スロット)のTTIをサポートするように構成され得る。図8に、HSUPAシステムにおけるTTIの3つの起こり得る構成を示す。すなわち、図8の行(A)に示す、本開示の一態様では、アンカーキャリア802および2次キャリア804は、両方とも2ms TTIを利用し得る。図8の行(B)に示す、本開示の別の態様では、アンカーキャリア802および2次キャリア804は、両方とも10ms TTIを利用し得る。ただし、アップリンク上で2ms TTIと10ms TTIの両方を同時に展開するネットワークがあり得る。この場合、図8の行(C)に示す、本開示の別の態様では、アンカーキャリア802は、10ms TTIを用いて構成され得、2次キャリア804は、2ms TTIを用いて構成され得る。したがって、UEは、セルのエッジにおいてアップリンクカバレージの改善を経験し得る。ここで、アンカーキャリア802上で10ms TTIを実装するために、UEは5つの連続的な2ms TTIを採用し得る。したがって、アップリンクカバレージが制限されているとき、ノードBは、UEを2ms TTIから10ms TTIに再構成することをRNCに要求することなしに、2次キャリア804を一時的に非アクティブにし得る。
【００４１】
本開示のさらなる態様では、ノードBは、UEが2次アップリンクキャリア608を動的にアクティブにし、非アクティブにし得るように、HS-SCCH 520上でオーダータイプを与え得る。ここで、ノードBは、依然として、2次アップリンクキャリア608を非アクティブにしながら、2次ダウンリンクキャリア612をアクティブにされるように保つことを選択し得る。図9に示す、本開示のさらに別の態様では、HS-SCCH 520上で与えられるオーダータイプを利用するのではなく、UEは2次アップリンクキャリア608を暗黙的にリリースし得る。すなわち、3GPPリリース7では、HSDPAにおける共通状態の拡張が、ダウンリンク上のデータレート、レイテンシなどを改善した。リリース8は、拡張アップリンク(EUL)機能を導入し、各セルにおいて最高32個の共通E-DCHリソースを管理することを可能にした。さらに、不連続受信(DRX)がCell_FACH状態に追加され、バッテリー消費が低減された。UEが、これらの仕様の下でCell_FACH状態にあり、EULを利用しているとき、アップリンクリソースをリリースするためのトリガは、大部分は、UEのE_DCH送信バッファを空にすることに依存していた。本開示のこの態様では、DC-HSUPAの場合、そのトリガ機構は、UEによって測定されるチャネル状態の劣化であり得る。したがって、RNCに関与するのではなく、UEは、このリリースをノードBに直接示し得る。一例では、UEは、そのリリースをノードBに搬送するために、セグメンテーションインジケータ(SI)を利用し得、たとえば、SI=0を設定し得る。もちろん、このリリースを搬送するために他のインジケータが利用され得る。したがって、ブロック902において、UEは2次キャリアを測定し、ブロック904において、UEは、2次キャリアが伝搬されるチャネルが劣化していると判断する。ブロック906において、そのチャネルの品質メトリックが劣化しているという判断に基づいて、UEは2次キャリアをリリースする。ブロック908において、UEは、2次キャリアのリリースを示すための指示(たとえば、SI=0)をエアインターフェースを介してNBに与える。
【００４２】
UMTSは、いわゆる圧縮モードを含み、圧縮モードは、UEが周波数間またはインターRAT(無線アクセス技術)測定を実行することを可能にするための1つの方法である。図10Aは、いくつかの従来のフレーム1004の間の圧縮フレーム1002を示す概念図である。すなわち、フレーム1002中の送信および受信は、ギャップ1006時間中に他の周波数または他のRAT上で測定が実行され得るように、短い時間の間、停止され得る。ギャップ1006の後、その送信および受信は続く。ギャップ1006を含む1つまたは複数のフレーム中に、それらのフレームにおけるデータが失われないように、それらのフレームにおけるデータは、より高い電力で圧縮され、送信され得る。
【００４３】
図10Bに示す、本開示の別の態様では、2次キャリアは、アンカーキャリア中のギャップ1010と時間的に整合されたギャップ1008を含み得る。すなわち、アンカーキャリアおよび2次キャリアは、以前のリリースにおける唯一のアップリンクキャリアと実質的に同じ方法での圧縮モードを含み得る。ギャップ1008、1010の整合とともに、周波数間またはインターRAT測定のための機能は保持される。
【００４４】
図11に、例示的なワイヤレス通信システム1100を示す。ワイヤレス通信システム1100には、簡潔のために、1つのノードB 1110と、1つのUE 1150との部分を示してある。ただし、システム1100は2つ以上のノードBおよび/または2つ以上のUEを含み得、追加のノードBおよび/またはUEは、以下で説明する例示的なノードB 1110およびUE 1150と実質的に同様または異なり得ることを諒解されたい。たとえば、DC-HSPAを実装するシステムでは、ノードBとUEとの各々の送信部分と受信部分との全部または一部が重複し得る。さらに、ノードB 1110および/またはUE 1150は、それらの間のワイヤレス通信を可能にするために、本明細書で説明するシステムおよび/または方法を採用することができることを諒解されたい。
【００４５】
ノードB 1110において、いくつかのデータストリームのトラフィックデータがデータソース1112から送信(TX)データプロセッサ1114に供給される。一例によれば、各データストリームは、それぞれのアンテナを介して送信され得る。TXデータプロセッサ1114は、トラフィックデータストリーム用に選択された特定の符号化方式に基づいて、そのデータストリームをフォーマットし、符号化し、インターリーブして、符号化データを与える。
【００４６】
各データストリームの符号化データは、直交周波数分割多重(OFDM)技法を使用してパイロットデータと多重化され得る。追加または代替として、パイロットシンボルは、周波数分割多重化(FDM)、時分割多重化(TDM)、または符号分割多重化(CDM)され得る。パイロットデータは、一般に、知られている方法で処理される知られているデータパターンであり、チャネル応答を推定するためにUE 1150において使用され得る。各データストリームの多重化されたパイロットおよび符号化データは、そのデータストリーム用に選択された特定の変調方式(たとえば、2値位相シフトキーイング(BPSK)、4位相シフトキーイング(QPSK)、M位相シフトキーイング(M-PSK)、多値直交振幅変調(M-QAM)など)に基づいて変調(たとえば、シンボルマッピング)されて、変調シンボルが与えられ得る。各データストリームのデータレート、符号化、および変調は、プロセッサ1130によって実行または与えられる命令によって判断され得る。
【００４７】
データストリームの変調シンボルはTX MIMOプロセッサ1120に供給され得、TX MIMOプロセッサ1120は、(たとえば、OFDM用に)変調シンボルをさらに処理し得る。次いで、TX MIMOプロセッサ1120はNT個の変調シンボルストリームをNT個の送信機(TMTR)1122a〜1122tに供給する。本開示の様々な態様では、TX MIMOプロセッサ1120は、データストリームのシンボルと、シンボルの送信元のアンテナとにビームフォーミング重みを適用する。
【００４８】
各送信機1122は、それぞれのシンボルストリームを受信し、処理して、1つまたは複数のアナログ信号を与え、さらに、それらのアナログ信号を調整(たとえば、増幅、フィルタ処理、およびアップコンバート)して、MIMOチャネルを介して送信するのに適した変調信号を与える。さらに、送信機1122a〜1122tからのNT個の変調信号は、それぞれNT個のアンテナ1124a〜1124tから送信される。
【００４９】
UE 1150において、送信された変調信号はNR個のアンテナ1152a〜1152rによって受信され、各アンテナ1152からの受信信号は、それぞれの受信機(RCVR)1154a〜1154rに供給される。各受信機1154は、それぞれの信号を調整(たとえば、フィルタ処理、増幅、およびダウンコンバート)し、調整された信号をデジタル化して、サンプルを与え、さらに、それらのサンプルを処理して、対応する「受信」シンボルストリームを与える。
【００５０】
RXデータプロセッサ1160は、特定の受信機処理技法に基づいてNR個の受信機1154からNR個の受信シンボルストリームを受信し、処理して、NT個の「検出」シンボルストリームを与え得る。RXデータプロセッサ1160は、各検出シンボルストリームを復調し、デインターリーブし、復号して、データストリームのトラフィックデータを復元し得る。次いで、このトラフィックは、UE 1150上のスピーカー、ディスプレイ、アプリケーションプログラムなど、データシンク1162に供給され得る。RXデータプロセッサ1160による処理は、概して、ノードB 1110におけるTX MIMOプロセッサ1120およびTXデータプロセッサ1114によって実行される処理を補足するものである。
【００５１】
プロセッサ1170は、上述のように、どの利用可能な技術を利用すべきかを周期的に判断し得る。さらに、プロセッサ1170は、行列インデックス部分とランク値部分とを含む逆方向リンクメッセージを作成し得る。
【００５２】
逆方向リンクメッセージは、通信リンクおよび/または受信データストリームに関する様々なタイプの情報を含み得る。逆方向リンクメッセージは、データソース1136からいくつかのデータストリームのトラフィックデータをも受信するTXデータプロセッサ1138によって処理され、変調器1180によって変調され、送信機1154a〜1154rによって調整され、ノードB 1110に戻され得る。
【００５３】
ノードB 1110において、UE 1150からの変調信号は、アンテナ1124によって受信され、受信機1122によって調整され、復調器1140によって復調され、RXデータプロセッサ1142によって処理されて、UE 1150によって送信された逆方向リンクメッセージが抽出される。次いで、そのメッセージはデータシンク1144に供給され得る。さらに、プロセッサ1130は、抽出されたメッセージを処理して、ビームフォーミング重みを判断するためにどの先行する行列を使用すべきかを判断し得る。
【００５４】
プロセッサ1130および1170は、それぞれノードB 1110およびUE 1150における動作を指示(たとえば、制御、調整、管理など)し得る。それぞれのプロセッサ1130および1170は、プログラムコードおよびデータを格納するメモリ1132および1172に関連付けられ得る。プロセッサ1130および1170はまた、それぞれ、アップリンクとダウンリンクとに関して周波数推定値とインパルス応答推定値とを導出するための計算を実行し得る。
【００５５】
開示したプロセスにおけるステップの特定の順序または階層は、例示的な手法の一例であることを理解されたい。設計上の選好に基づいて、プロセスにおけるステップの特定の順序または階層は並べ替えられ得ることを理解されたい。添付の方法クレームは、様々なステップの要素を例示的な順序で提示したものであり、提示された特定の順序または階層に限定されるものではない。
【００５６】
以上の説明は、本明細書で説明した様々な態様を当業者が実施できるようにするために与えられたものである。これらの態様への様々な変更は当業者には直ちに明らかになり、本明細書で定義した一般原理は他の態様に適用され得る。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ1つ」を意味するものではなく、「1つまたは複数の」を意味するものである。別段に明記されていない限り、「いくつかの」という用語は「1つまたは複数の」を表す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「手段」という語句を使用して明確に具陳されていない限り、または方法クレームの場合には、その要素が「段階」という語句を使用して具陳されていない限り、米国特許法第112条第6段落の規定に基づいて解釈されるべきではない。
【符号の説明】
【００５７】
100  装置
102  バス
104  プロセッサ
106  コンピュータ可読記録媒体
108  バスインターフェース
110  トランシーバ
112  ユーザインターフェース
114  処理システム
202  無線アクセスネットワーク(RAN)
204  コアネットワーク
206  RNC
207  RNS
208  ノードB
210  UE
212  モバイル交換センター(MSC)
214  ゲートウェイMSC(GMSC)
216  回線交換ネットワーク
218  サービングGPRSサポートノード(SGSN)
220  ゲートウェイGPRSサポートノード(GGSN)
222  パケットベースネットワーク
224  ホームロケーションレジスタ(HLR)
502  ブロードキャストチャネル(BCH)
503  1次共通制御物理チャネル(PCCPCH)
504  ページングチャネル(PCH)
506  ページングインジケータチャネル(PICH)
508  順方向アクセスチャネル(FACH)
509  2次共通制御物理チャネル(SCCPCH)
510  取得インジケータチャネル(AICH)
512  ランダムアクセスチャネル(RACH)
513  物理ランダムアクセスチャネル(PRACH)
514  専用チャネル(DCH)
516  専用物理データチャネル(DPDCH)
517  専用物理制御チャネル(DPCCH)
518  高速ダウンリンク共有チャネル(HS-DSCH)
519  フラクショナル専用物理チャネル(F-DPCH)
520  共有制御チャネル(HS-SCCH)
522  高速物理ダウンリンク共有チャネル(HS-PDSCH)
524  高速専用物理制御チャネル(HS-DPCCH)
526  拡張専用チャネル(E-DCH)
528  E-DCH専用物理データチャネル(E-DPDCH)
530  E-DCH専用物理制御チャネル(E-DPCCH)
532  E-DCHハイブリッドARQインジケータチャネル(E-HICH)
534  E-DCH相対グラントチャネル(E-RGCH)
536  E-DCH絶対グラントチャネル(E-AGCH)
602  UE
604  ノードB
606  アンカーアップリンクキャリア
608  2次アップリンクキャリア
610  アンカーダウンリンクキャリア
612  2次ダウンリンクキャリア
【図１】
0005301027.tif 000002
【図２】
0005301027.tif 000003
【図３】
0005301027.tif 000004
【図６】
0005301027.tif 000005
【図７Ａ】
0005301027.tif 000006
【図７Ｂ】
0005301027.tif 000007
【図８】
0005301027.tif 000008
【図９】
0005301027.tif 000009
【図１１】
0005301027.tif 000010
【図４】
0005301027.tif 000011
【図５】
0005301027.tif 000012
【図１０Ａ】
0005301027.tif 000013
【図１０Ｂ】
0005301027.tif 000014